(57)【要約】【課題】本考案はポケットティッシュを収納すると共に名刺やカードなども収納でき、且つ、意外性と遊び心が発揮されると共に見栄えが良く、しかも最後の1組まで確実に取出すことが可能となるポケットティッシュケースを提供することを目的とする。【解決手段】ポケットティッシュＡを内部に収納する大きさを有したケース本体１と、該ケース本体１の一面の略中央部に、ティッシュペーパーを取出すために水平に設けた切込部２と、ケース本体１の内部に、底部から上部に渡って設けた仕切３と、ケース本体１の上部付近に、ポケットティッシュＡを出入可能なチャック部４と、ケース本体１の一面に設けた切込部２が、雪を抱いた富士山の山頂付近に位置するように描示した図形５と、から少なくとも構成する。またケース本体１の一面の内面側に補強部６を設け、ケース本体１の側部に、紐や鎖が挿通可能な突部を設けると良い。【選択図】図２
0003177579.tif 000002
【実用新案登録請求の範囲】
【請求項１】
ポケットティッシュ（Ａ）を内部に収納する大きさを有したケース本体（１）と、該ケース本体（１）の一面の略中央部に、内部に収納したティッシュペーパーを取出すために水平に設けた切込部（２）と、前記ケース本体（１）の内部に、底部から上部に渡って設けた仕切（３）と、前記ケース本体（１）の他面の上部付近に、前記ポケットティッシュ（Ａ）を出入可能で且つ開閉可能なチャック部（４）と、前記ケース本体（１）の一面に設けた切込部（２）が、雪を抱いた富士山の山頂付近に位置するように描示した図形（５）と、から少なくとも構成したことを特徴とするポケットティッシュケース。
【請求項２】
前記ケース本体（１）の内面にラミネート加工を施した補強部（６）が設けられた請求項１記載のポケットティッシュケース。
【請求項３】
前記ケース本体（１）の側部に、紐や鎖が挿通可能な突部（７）を設けた請求項１又は２記載のポケットティッシュケース。
【考案の詳細な説明】
【技術分野】
【０００１】
本考案はポケットティッシュを収納すると共に名刺やカードなども収納できる多機能を有したポケットティッシュケースに関する。
【背景技術】
【０００２】
従来、ポケットティッシュケースとしては、布地で四角形状の袋に形成し、その前面の中央部に長手方向全長に渡って延びる取出口を備えたものが市販されて、一般に良く知られている。しかしながら、このポケットティッシュケースは取出口が大きいので、ポケットティッシュ内のティッシュペーパーの残量が少なくなると共に、ポケットティッシュケースが型崩れやシワになるため、ティッシュペーパーが1組ずつ取出せないものとなり、しかも、ポケットティッシュの取出口縁に指を突っ込んで且つ掻き分けて内部からティッシュペーパーを摘んで取出さなければならず、ティッシュペーパーの取出しが面倒であり、更にティッシュペーパーを取出すと、複数組のティッシュペーパーがまとまって取出されてしまう問題を生じ、且つ、ポケットティッシュケースは単にティッシュペーパーを収納するだけの機能しかないものであった。
【０００３】
一方、ティッシュペーパーを収納する機能以外に他の機能を有したポケットティッシュケースとしは、特開２００５−３２４８５８が提案されている。これは、ポケットティッシュケースに、ハンカチやハンドタオルを露出した状態で留める留め具と、ティッシュケースに接続された端部に、クリップやフック等の服やカバン等への着脱部材を有する連接体より成る固定具とにより構成されたものである。その目的は、外出時にハンカチやハンドタオルを合せて露出させて携帯する機能を有するものとすることにより、手洗い後の濡れた状態の手を、ハンカチやハンドタオルを探したり取出したりすることなく手が簡単に拭けると共にその湿ったハンカチやハンドタオルを収納せずにするため、乾きも良くなるものであった。しかしながら、ハンカチやハンドタオルが露出されているため、見栄えが悪く、おしゃれをした時や公の場では使用しにくいものであった。
【先行技術文献】
【特許文献】
【０００４】
【特許文献１】特開２００５−３２４８５８号公報
【考案の概要】
【考案が解決しようとする課題】
【０００５】
本考案はポケットティッシュを収納すると共に名刺やカードなども収納でき、且つ、意外性と遊び心が発揮されると共に見栄えが良く、しかも最後の1組まで確実に取出すことが可能となるポケットティッシュケースを提供することを目的とする。
【課題を解決するための手段】
【０００６】
本考案はポケットティッシュケースに多機能を持たせるために成されたもので、つまり、ポケットティッシュを内部に収納する大きさを有したケース本体と、該ケース本体の一面の略中央部に、内部に収納したティッシュペーパーを取出すために水平に設けた切込部と、ケース本体の内部に、底部から上部に渡って設けた仕切と、ケース本体の他面の上部付近に、ポケットティッシュを出入可能で且つ開閉可能なチャック部と、ケース本体の一面に設けた切込部が、雪を抱いた富士山の山頂付近に位置するように描示した図形と、から少なくとも構成する。またケース本体の一面の内面側にラミネート加工が施された補強部を設けると良く、ケース本体の側部に、紐や鎖が挿通可能な突部を設けると良い。尚、本考案に於いて「ポケットティッシュ」とは、ティッシュペーパーが薄く柔らかな合成樹脂の袋の内部に収納されているものを指す。
【考案の効果】
【０００７】
請求項１のようにポケットティッシュ（Ａ）を内部に収納する大きさを有したケース本体（１）と、該ケース本体（１）の一面の略中央部に、内部に収納したティッシュペーパーを取出すために水平に設けた切込部（２）と、ケース本体（１）の内部に、底部から上部に渡って設けた仕切（３）と、ケース本体（１）の他面の上部付近に、ポケットティッシュ（Ａ）を出入可能で且つ開閉可能なチャック部（４）と、ケース本体（１）の一面に設けた切込部（２）が、雪を抱いた富士山の山頂付近に位置するように描示した図形（５）と、から少なくとも構成することにより、ポケットティッシュ（Ａ）を収納すると共に名刺やカードなども収納でき、且つ、意外性と遊び心が発揮されると共に見栄えが良く、しかも最後の1組まで確実に取出すことが出来るものとなり、長く使用出来るものとなる。
【０００８】
請求項２のようにケース本体（１）の一面の内面側にラミネート加工が施された補強部（６）を設けることにより、切込部（２）が補強されるため、切込部（２）が解れて見栄えが悪くなる心配のないものとなる。
【０００９】
請求項３に示すようにケース本体（１）の側部に、紐や鎖が挿通可能な突部（７）を設けることにより、紐や鎖を挿通させることが出来るため、カバンや衣服の一部にケース本体（１）を引掛けることが可能となり、紛失防止の役目も果たすものとなる。
【図面の簡単な説明】
【００１０】
【図１】本考案の実施形態を示す説明図である。
【図２】本考案の縦断面を示す説明図である。
【図３】本考案の正面を示す説明図である。
【図４】本考案の裏面を示す説明図である。
【考案を実施するための形態】
【００１１】
本考案の実施形態を図１、図２に基づいて説明する。（１）はポケットティッシュ（Ａ）を内部に収納する大きさを有した布製のケース本体である。前記ケース本体（１）の収納容積は、ポケットティッシュ（Ａ）を1個と、名刺或いはカードを数枚と、コインを数枚とが入る広さを有するものとするのが好ましい。（２）はケース本体（１）の一面（表面側）の略中央部で且つ水平に設けた切込部であり、該切込部（２）は、ポケットティッシュ（Ａ）の内部に収納したティッシュペーパーを取出すためのものである。この切込部（２）の長さはポケットティッシュの取出口の長さよりも若干小さめに設定しておくと良い。例えば、４cm〜６cm前後とするのが好ましい。（３）はケース本体（１）の内部に設けると共にケース本体（１）の底部から上部に渡って設けた布製の仕切であり、該仕切（３）の下辺部と側辺部は、ケース本体（１）に縫い付けて固定し、上辺部は固定させずに、ポケットティッシュ（Ａ）が出入可能に成されている。
【００１２】
（４）はケース本体（１）の他面（裏面側）の上部付近に装着すると共にポケットティッシュ（Ａ）が出入可能で且つ開閉可能なチャック部である。尚、該チャック部（４）の代りに、スナップボタンや面ファスナーなどの係止具を用いても良い。（５）はケース本体（１）の一面（表面側）に設けた切込部（２）が、雪を抱いた富士山の山頂付近に位置するように描示した図形あり、該図形（５）の雪の部分の色は白色とし、他の部分の色は青色系或いは赤色系とするのが好ましく、青色系にすれば、晴天の富士山となり、赤色系にすれば、赤富士となる。
【００１３】
（６）はケース本体（１）の表面の内側にラミネート加工を施した補強部あり、該補強部（６）は布地全体に補強フィルムを貼付けるのが好ましいが、切込部（２）の周辺の内側（内面）を補強するものとしても良い。又、補強部（６）は、内面に補強材を貼付けるだけでなく、液状の合成樹脂を塗布するか或いは含浸させる方法を用いても良い。（７）はケース本体（１）の側部に設けると共に紐や鎖が挿通可能な突部であり、該突部（７）は布片をループ状に折曲し、その基部をケース本体（１）に縫い付けて固定すると良い。
【００１４】
次に本考案品にポケットティッシュ（Ａ）を収納する場合について説明する。先ず始めに図２、図４に示すチャック部（４）を開くと、ケース本体（１）の裏面上方付近が開口し、ここからポケットティッシュ（Ａ）を、ケース本体（１）の表面側と仕切（３）との間に挿入する。この時、ポケットティッシュ（Ａ）の取出口は、ケース本体（１）の表面側に設けた切込部（２）に対応するように位置させる。そして、チャック部（４）を閉じれば、開口も閉じたものとなる。これでポケットティッシュ（Ａ）の収納は完了する。
【００１５】
ポケットティッシュ（Ａ）の収納が完了した後、切込部（２）からポケットティッシュ（Ａ）の取出口を介してティッシュペーパーの先端を摘んでケース本体（１）の外部へ引出すと、図１、図３に示すような三角状になり、白色なティッシュペーパーの先端が露出した状態となると共に富士山の形が完成されるのである。通常はこの状態が維持される。この時、ケース本体（１）の表面には雪を抱いた富士山の図形（５）が表れ、且つ、その山頂部が立体化されているため、よく目に付くものとなり、見栄えの良いものとなる。
【００１６】
次にティッシュペーパーを引出して使用する場合について説明する。ティッシュペーパを使用する場合には、予めティッシュペーパーの先端が切込部（２）から露出されているため、ティッシュペーパーを簡単に摘み出すことができ、且つ、１組ずつティッシュペーパーを取出して使用することが出来るものとなるのである。尚、ティッシュペーパーを引出した後、次のティッシュペーパーの先端がケース本体（１）の外部から出ない時には、ティッシュペーパーの先端を摘んでケース本体（１）の外部へ引出しておく。
【００１７】
このようにしてポケットティッシュ（Ａ）のティッシュペーパーの残量が少なくなり、新たなポケットティッシュ（Ａ）を交換する場合は、チャック部（４）を開き、ケース本体（１）の裏面上方が開口し、ティッシュペーパーがなくなったポケットティッシュ（Ａ）の袋を取出し、その後、新しいポケットティッシュ（Ａ）をケース本体（１）の表面側と仕切（３）との間に挿入する。この時、上記同様にポケットティッシュ（Ａ）の取出口は、ケース本体（１）の表面側に設けた切込部（２）に対応するように位置させる。そして、チャック部（４）を閉じれば、新たなポケットティッシュ（Ａ）の交換は完了する。
【００１８】
次にポケットティッシュの収納以外の本考案の機能について説明する。ケース本体（１）の内部が、仕切（３）によってティッシュ収納部と小物入れ部に区別できるものとなる。前記小物入れ部に、例えば、キャッシュカードや他のカード或いは名刺などを入れる場合について説明する。先ずチャック部（４）を開き、ケース本体（１）の裏面上方付近が開口されるので、ここからキャッシュカードや他のカード或いは名刺などを、ケース本体（１）の仕切（３）と裏面側との間に挿入する。そして、チャック部（４）を閉じれば、開口も閉じたものとなる。これで小物の収納は完了する。更にコインなどを入れる場合には、図２に示すように小物とケース本体（１）の裏面側との間に入れる。そして上記同様にチャック部（４）を閉じれば、開口部も閉じたものとなる。しかもコインはケース本体（１）内部で移動し易いが、ケース本体（１）の底部から上部に渡って仕切（３）が設けられているため、コインはケース本体（１）の外部に出ることがないと共にポケットティッシュ（Ａ）の収納側に行くこともなく、コインが極めて見つけ易いものとなる。つまり、ケース本体（１）の表面側に富士山が描示されているので、ケース本体（１）をカバン或いはポケット等に収納する際に必ず上下を間違えずに入れられるため、それが反転し、ケース本体（１）内部のコインが仕切（３）の固定されていない上辺側を素通りすることが殆どないものとなる。
【００１９】
次に本考案の作用について説明する。先ずケース本体（１）の表面に、雪を抱いた富士山の図形（５）が表れ、且つ、ティッシュペーパーを切込部（２）から露出しておけば、富士山が従来にない立体的なものとなり、話題性が生じると共に遊び心が発揮され、見栄えの良いものとなる。しかも、この時、切込部（２）からティッシュペーパーの先端が露出しているので、ティッシュペーパーが簡単に摘み出すことができ、従来の如きポケットティッシュ（Ａ）の取出口縁に指を突っ込んで且つ掻き分けてティッシュペーパーをその都度1組ずつ摘み出す面倒な動作が不要となった。
【００２０】
又、ケース本体（１）の内部に仕切（３）が設けられているので、ティッシュ収納機能以外に、小物入れとして利用できる機能を有するものとなった。このため、小物入れ部にキャッシュカードや他のカード或いは名刺などを入れておくと、それによって柔軟なポケットティッシュ（Ａ）全体が押されるため、従来の如きポケットティッシュ（Ａ）内のティッシュペーパーの残量が少なって型崩れやシワになることが殆どなくなり、その結果、ティッシュペーパーが1組ずつ確実に最後まで取出せるものとなった。
【００２１】
更にケース本体（１）の側部に設けた突部（７）に紐や鎖を挿通させることにより、カバンや衣服の一部にケース本体（１）を引掛けることが可能となるため、紛失防止機能も備えられたものとなる。尚、紐等を首に掛けて身体にケース本体（１）を吊下させるものとしても良い。
【符号の説明】
【００２２】
Ａ  ポケットティッシュ
１  ケース本体
２  切込部
３  仕切
４  チャック部
５  図形
６  補強部
７  突部
【図１】
0003177579.tif 000003
【図２】
0003177579.tif 000004
【図３】
0003177579.tif 000005
【図４】
0003177579.tif 000006